(57)【要約】【課題】従来の固形石鹸は、石鹸が人々の手に触れられるので、非衛生的である。一方で液状石鹸は、この問題を解決できたが、しかし液状石鹸のカビ発生防止の為にカビ防止剤が入っており、人体に害を及ぼす。また環境面においても化学薬品の混入は好ましくなかった。【解決手段】本発明はこのような問題を鑑みて、固形石鹸を使用時に粉石鹸にして供給するソープディスペンサーを発明した。このソープディスペンサーとは固形石鹸を表面に突起が形成された平板または円筒で擦って粉石鹸を生成する粉石鹸生成装置である。【選択図】図３
2008138149.tif 000002
【特許請求の範囲】
【請求項１】
固形石鹸を表面に突起が形成された平板で擦って粉石鹸を生成する粉石鹸生成装置であって、前記固形石鹸を前記平板に押し付ける機構と、前記平板の平行方向の変位に対して回復力が生じる機構と、を具備する粉石鹸生成装置。
【請求項２】
固形石鹸を表面に突起が形成された円筒側面で擦って粉石鹸を生成する粉石鹸生成装置であって、前記固形石鹸を前記円筒側面に押し付ける機構と、前記円筒側面を円筒軸に対して回転させる機構と、を具備する粉石鹸生成装置。
【請求項３】
前記固形石鹸を前記平板に押し付ける機構とは、前記固形石鹸が前記平板と接する側の反対の側からバネ、またはおもり、によって押し付けることを特徴とする請求項１または請求項２記載の粉石鹸生成装置。
【請求項４】
前記表面に突起が形成された平板とは、開口部が形成されていることを特徴とする請求項１記載の粉石鹸生成装置。
【請求項５】
前記平板の平行方向の変位に対して回復力が生じる機構とは、前記平板の一側面に形成されたバネによって前記変位に対する回復力を生じさせることを特徴とする請求項１記載の粉石鹸生成装置。
【請求項６】
固形石鹸を表面に突起が形成された平板で擦って粉石鹸を成形する粉石鹸生成装置であって、
水平の一軸方向の変位に対する回復力を具わった表面に突起部と開口部が形成された前記平板と、
前記平板の上に前記固形石鹸を上部から錘もしくはバネによって前記平板に押し付ける機構と、を具備する粉石鹸生成装置。
【請求項７】
前記水平の一軸方向の変位に対する回復力とは、前期平板の少なくとも一つの側面に接するバネによってなされることを特徴とする請求項６記載の粉石鹸生成装置。
【発明の詳細な説明】
【技術分野】
【０００１】本発明は、粉石鹸の製造装置に関し、特に任意の固形石鹸を簡単な方法で、粉末状に加工して使うものである。
【背景技術】
【０００２】近年、衛生上の観点から、公共の手洗い場には液状石鹸供給装置、所謂ソープディスペンサーが普及している。また、家庭においても、衛生上及び利便性の観点から、従来の固形石鹸に代わって液状石鹸が普及しつつある。【０００３】固形石鹸に代わって液状石鹸が使用される原因は、固形石鹸の場合は、石鹸は大気に暴露されており、石鹸を使用する人々の手に直接触れられる為、非衛生的と見られる。また、手で固形石鹸を擦り溶かして使用するため、石鹸成分を溶出させる時間を要し、残り少なくなった固形石鹸は溶出面積が小さくなる為、溶出しにくくなる点がある。これらが固形石鹸が敬遠される所以である。一方で液状石鹸の場合では、液状石鹸は密閉容器に入れられ、毎回使う度に必要使用量のみを汲み出すので、不特定多数の手によって汚染される心配がなく、衛生的である。【０００４】しかし、液状石鹸の問題点としては、液状であるが故に腐敗またはカビが発生する恐れがあり、防止する為には、防腐剤を添加する必要がある。これは使用する側にしてみれば、防腐剤の皮膚からの吸入や、手を経由した食べ物への汚染など、健康に害を及ぼす可能性がある。また環境保全の観点から見ても、防腐剤の使用は環境に好ましくない。また、液状である故、固形石鹸に比較して体積が大きくなる為、ソープディスペンサーでは頻繁に補充する必要がある。
一方で、石鹸を予め粉にして、それを使用する量だけ取り出して使用する方法も考えられる。この場合では衛生上の問題は解決でき、且つ防腐剤の問題もない。しかし、予め粉にした状態で保存する場合は湿気により固形化しやすく、必要な量だけを取り出す簡単な機構を実現することは困難である。
【発明の開示】
【発明が解決しようとする課題】
【０００５】本発明は、かかる課題に鑑みなされたものであり、固形石鹸を簡単な機構で毎回必要量のみを取り出せるようにすることを目的とする。
【課題を解決するための手段】
【０００６】本発明では、固形石鹸を卸し器で擦るだけの簡単な原理で粉石鹸が生成できることに着目した。【０００７】以下図１をもって本発明を説明する。【０００８】まず図１（ａ）をもって本発明の基本原理を説明する。図１（ａ）は基本機構の断面図であり、各図の間で相対的な方向をわかりやすいようにｘｙｚ座標を表記した。図１（ｂ）は図１（ａ）の卸し板のｚ方向から見た表面図である。卸し板には複数の突起部が形成されている。故に相対固形石鹸を卸し板１０に力５により押し付けた状態で卸し板をｘ方向に平行に往復させれば、粉石鹸が生成される。この機構は卸し板と石鹸を水平の相対位置関係で配置してもいいが、石鹸を上、卸し板を下、の相対位置関係で配置してもいい。但しこの場合では、生成された粉石鹸を下に落とすために、図１に示したように卸し板には開口部が必要となる。【０００９】図１に示した基本機構を組み込んだ後の装置の断面図を図２または図３に示す。力５は、図２に示すように上蓋４０に固定されたバネにより生成する、もしくは図３に示すように錘を固形石鹸の上部において生成してもよい。【００１０】卸し板は、図２もしくは図３に示すように本体の内部に形成され、ｘ軸方向のみに移動できるようにしてある。そして外部に露出している部分は矢印８０の方向に手で押せるようになっている。押せば固形石鹸は卸し板に擦られて、粉石鹸が生じる。生じた石鹸は卸し板に形成された開口部を通して外部に取り出せる。そして卸し板の反対方向にはバネ６０が本体５０に固定してあり、卸し板を矢印方向８０に押して変位させれば、回復力が生じるようになっている。したがって手を離せば、卸し板は元の位置に戻る。卸し板が元の位置に戻る際にも、石鹸は擦られて粉石鹸が発生する。【００１１】このように、押した回数で、必要な粉石鹸の量をコントロールできる。【００１２】以上、卸し板が平板である場合を紹介したが、違う機構で粉石鹸を生成する装置を図７を用いて説明する。ここで上蓋５０の部分は以上説明した粉石鹸生成装置となんらかわらないが、固形石鹸３０を擦る機構が回転できる突起部を有する円筒５５になっている点で違う。卸し板を円筒状５５にすることで、円筒５５を回転させれば固形石鹸３０は擦られるので、この場合では円筒５５の変位に対する回復機構を具えなくてもよい。
【実施の形態】
【００１３】以下に具体的な実施形態を示す。
まず形成した本体部分を図４（ａ）に示す。本体５０の材質は例えばＡＢＳ樹脂であった。図４（ａ）の右には穴５０ｃが形成されており、卸し板１０を穴５０ｃより本体５０に差し込むことができるようになっている。そして図４（ａ）の左側にはバネ６０が固定されている。
【００１４】次に卸し板を本体に差し込んだ状態を図４（ｂ）に示した。卸し板１０を穴５０ｃから入れて、バネ６０に接触する程度まで押し込み、卸し板１０が外に落ちないよう、固定蓋９０を接着剤で本体５０に固定した。
【００１５】図２に本体５０に上蓋４０を合体させた状態を示す。この上蓋４０の上部にはバネ２０が固定されている。この上蓋４０の空間に石鹸３０を入れて本体５０に合体させれば、石鹸３０は卸し板１０に押さえつけられる。そして、卸し板１０の外部に露出した部分１０ｅを押せば、粉石鹸は出てくる。
【００１６】ここで、上蓋４０に取り付けられたバネ２０の代わりに、図３に示すように錘２５を石鹸３０の上においても、石鹸３０は卸し板１０に押さえつけられるので、これでもよい。
【００１７】完成させた粉石鹸生成装置を壁面に取り付けた後の立体図を図５に示した。卸し板の露出部を押せば、粉石鹸は出てくる。
【００１８】さらに、上蓋を薄くした粉石鹸生成装置の断面図と立体図を図６に示した。このように上蓋を薄くすることで、携帯型の粉石鹸生成装置ができる。
【発明の効果】
【００１９】固形石鹸を卸し器で擦るだけの簡単な原理で粉石鹸が生成できることに成功した。これにより、衛生でかつ、防腐剤がなく、且つ一回の使用量を自由に調整できる粉石鹸生成装置が完成した。
【図面の簡単な説明】
【００２０】
【図１】粉石鹸生成装置の基本的原理を示す図。
【図２】粉石鹸生成装置の内部機構を示す図
【図３】粉石鹸生成装置の内部機構を示す図
【図４】粉石鹸生成装置の本体の組み立て過程を説明する図
【図５】粉石鹸生成装置の一実施例の完成した外観を示す図
【図６】粉石鹸生成装置の一実施例の完成した外観を示す図
【図７】粉石鹸生成装置の内部機構を示す図
【符号の説明】
【００２１】５      作用力もしくは反作用力
６      力
１０    卸し板
１０ａ  卸し板に形成された開口部
１０ｂ  卸し板上に形成された突起
２０    バネ
２０ａ  バネに接続された板
３０    石鹸
４０    上蓋
５０    本体
５０ａ  本体下部の開口部
６０    バネ
５５    突起部を有する円筒
８０    押す方向
９０    壁面
１００  粉石鹸
【図１】
2008138149.tif 000003
【図２】
2008138149.tif 000004
【図３】
2008138149.tif 000005
【図４】
2008138149.tif 000006
【図５】
2008138149.tif 000007
【図６】
2008138149.tif 000008
【図７】
2008138149.tif 000009